(57)【要約】【課題】  本発明は、アイロンケースを備えたアイロン装置において、アイロンケースが載置台に万一十分に結合されていない場合でも、安全に持ち運びできるようにした、使い勝手のよいアイロン装置を得ることを目的とするものである。【解決手段】  アイロンケースの側面より見た略中央に、貫通するケース空間部を設けることでケース握り部を形成するとともに、アイロン本体の側面より見た略中央にも、貫通する本体空間部を設けることでアイロン握り部を形成して、ケース握り部とアイロン握り部とを一緒に握ることを可能とした。【選択図】  図１ 
2005052403.tif 000002
【特許請求の範囲】
【請求項１】
ヒータにより加熱されるベースを有するアイロン本体と、前記アイロン本体を載置する載置部を有するスタンドと、前記載置部にアイロン本体を載置した状態で、前記スタンドと結合可能としたアイロンケースとを具備し、前記アイロンケースは、側面より見た略中央に貫通するケース空間部を設けることでケース握り部を形成したアイロン装置。
【請求項２】
アイロン本体は、側面より見た略中央に貫通する本体空間部を設けることでアイロン握り部を形成するとともに、前記アイロン本体をスタンドの載置部に載置し、アイロンケースを前記スタンドに結合したとき、前記アイロンケースのケース空間部は前記アイロン本体の本体空間部と対向するよう構成した請求項１記載のアイロン装置。
【請求項３】
アイロンケースは、アイロン本体をスタンドの載置部に載置して前記スタンドに結合したとき、前記アイロン本体の上部を覆う覆い部をケース空間部の下方に設けた請求項１記載のアイロン装置。
【発明の詳細な説明】
【技術分野】
【０００１】
本発明は衣類等のしわ伸ばしを行うアイロン本体と、そのアイロン本体を載置する載置部を有するスタンドとを備えたアイロン装置に関するものである。
【背景技術】
【０００２】
従来、この種のアイロン装置は、図５に示すように、ヒーターにより加熱されるベース４０を有するアイロン本体４１と、前記アイロン本体４１を載置する載置台４２と、前記載置台４２上に載置した前記アイロン本体４１を覆うアイロンケース４３と、アイロンケース４３を前記載置台４２に着脱自在に連結する結合手段４４とを具備し、アイロン本体の最頂部にはスチームボタンなどの操作部４５が配置され、アイロンケース４３の底面４６は同一平面上にあり、アイロンケース４３の最上部には握り部４７があるのが一般的であった（例えば、特許文献１参照）。
【特許文献１】特開２００３−３８８９９号公報
【発明の開示】
【発明が解決しようとする課題】
【０００３】
しかし、特許文献１に記載された構造のものでは、アイロン本体４１を載置台４２に載置し、アイロンケース４３をその上方よりかぶせる場合、注意を必要とした。すなわち、アイロンがけ作業が終わったときは、電源プラグをコンセントより抜き、アイロンケース４３を載置台４２にかぶせる。
【０００４】
この後、次に使用する時までキャビネット等に保管しておくために、持ち運びすることになるが、載置台４２およびアイロン本体４１は、結合手段４４を介してアイロンケース４３にぶら下がることになるので、万一、結合手段４４による結合が不十分な場合には、載置台４２とともにアイロン本体４１が持ち運び中に落下するおそれがあり、またこれを防止するために、持ち運びに先立って、結合が十分に行われているかを確認する必要があった。
【０００５】
また、従来の構造のものでは、アイロンケース４３の握り部４７を、アイロン本体４３とは別部材で回動可能に構成して、非運搬時には、倒してアイロン本体４３に埋め込まれるようにしているので、持ち運び時には、握り部４７を起こしてから、握るという２段動作となり、使い勝手が悪かった。
【０００６】
また、従来の構造のものでは、アイロンケース４３の握り部４７を、アイロン本体４３とは別部材で構成しているため、握り部４７のみならず、回動可能に構成するための部品も必要であり、コストアップの要因となっていた。
【０００７】
そこで、本発明はアイロンケースが載置台に万一十分に結合されていない場合でも、安全に持ち運びできるアイロン装置を得ることを第１の目的としている。
【０００８】
第２の目的は、アイロン本体を持ち運びするときに、そのまま握って持ち運びできる使い勝手のよいアイロン装置を得ることである。
【０００９】
第３の目的は、保管時に、アイロン本体がほこりをかぶることを抑制できるアイロン装置を得ることである。
【課題を解決するための手段】
【００１０】
そして、上記第１および第２の目的を達成するために本発明は、ヒータにより加熱されるベースを有するアイロン本体と、前記アイロン本体を載置する載置部を有するスタンドと、前記載置部にアイロン本体を載置した状態で、前記スタンドと結合可能としたアイロンケースとを具備し、前記アイロンケースは、側面より見た略中央に貫通するケース空間部を設けることでケース握り部を形成したことを、第１の課題解決手段としている。
【００１１】
また、上記第２の目的を達成するために本発明は、第１の課題解決手段において、アイロン本体は、側面より見た略中央に貫通する本体空間部を設けることでアイロン握り部を形成するとともに、前記アイロン本体をスタンドの載置部に載置し、アイロンケースを前記スタンドに結合したとき、前記アイロンケースのケース空間部は前記アイロン本体の本体空間部と対向するよう構成したことを第２の課題解決手段としている。
【００１２】
また、上記第３の目的を達成するために本発明は、第１の課題解決手段において、アイロンケースは、アイロン本体をスタンドの載置部に載置して前記スタンドに結合したとき、前記アイロン本体の上部を覆う覆い部をケース空間部の下方に設けたことを第３の課題解決手段としている。
【発明の効果】
【００１３】
本発明のアイロン装置は、アイロン本体を持ち運びするときに、そのまま握って持ち運びできて使い勝手がよいとともに、アイロンケースのケース握り部とアイロン本体のアイロン握り部とを一緒に握ることができるので、アイロンケースが載置台に万一十分に結合されていない場合でも、安全に持ち運びできる。
【発明を実施するための最良の形態】
【００１４】
本発明の請求項１に記載の発明は、ヒータにより加熱されるベースを有するアイロン本体と、前記アイロン本体を載置する載置部を有するスタンドと、前記載置部にアイロン本体を載置した状態で、前記スタンドと結合可能としたアイロンケースとを具備し、前記アイロンケースは、側面より見た略中央に貫通するケース空間部を設けることでケース握り部を形成したので、アイロン本体を持ち運びするときに、そのまま握って持ち運びできて使い勝手がよいとともに、アイロン本体のアイロン握り部と一緒に握ることも可能となり、安全に持ち運びできる。
【００１５】
請求項２に記載の発明は、上記請求項１記載の発明において、アイロン本体は、側面より見た略中央に貫通する本体空間部を設けることでアイロン握り部を形成するとともに、前記アイロン本体をスタンドの載置部に載置し、アイロンケースを前記スタンドに結合したとき、前記アイロンケースのケース空間部は前記アイロン本体の本体空間部と対向するよう構成したことで、アイロン本体を持ち運びするときに、そのまま握って持ち運びできて使い勝手がよいとともに、アイロンケースのケース握り部とアイロン本体のアイロン握り部とを一緒に握ることができるので、アイロンケースが載置台に万一十分に結合されていない場合でも、安全に持ち運びできる。
【００１６】
請求項３に記載の発明は、上記請求項１記載の発明において、アイロンケースは、アイロン本体をスタンドの載置部に載置して前記スタンドに結合したとき、前記アイロン本体の上部を覆う覆い部をケース空間部の下方に設けたことで、保管時に、アイロン本体にほこりがかぶることを抑制できる。
【実施例１】
【００１７】
以下、本発明の一実施例を図面を用いて説明する。図１〜４において、１はアイロン本体で、蓋体２に覆われた気化室３を形成したベース４、このベース４を加熱するヒータ５、前記気化室３に導水路（図示せず）を介して連結したタンク６、このタンク６に水を供給するための受水部７、前記ヒータ５に接続された受電端子８、前記タンク６の水位を検知する水位検知手段９、前記アイロン本体１を作業者が持つためのアイロン握り部１０を有している。アイロン握り部１０の下部は、握りやすいように穴を貫通させて、本体空間部１１を形成している。前記受水部７はアイロン本体１のアイロン握り部１０の長手方向の延長線上において、前記受電端子８より上方かつ後方に設けられている。
【００１８】
１２はスタンドで、前記アイロン本体１を前記ベース４の後部を下方にして傾斜載置する載置部１３、アイロン本体１の受電端子８と各々接続される複数の給電部１４、前記アイロン本体１の受水部７と対向した位置、すなわち、前記受電端子８より上方かつ後方で、なおかつ、載置部１３の左右の中央に設けられた給水部１５、アイロン本体１のタンク６に給水部１５および受水部７を介して供給する水を貯えるための貯水タンク１６を有している。
【００１９】
さらに、上記スタンド１２には、前記貯水タンク１６に貯えられた水を給水部１５および受水部７を介してアイロン本体１のタンク６へ送るためのポンプ等で構成された給水装置１７、前記ヒータ５への通電およびこの給水装置１７の駆動を制御する複数の電子部品により構成された制御手段１８を有している。
【００２０】
また、１９は前記アイロン本体１が前記スタンド１２の載置部１３に載置された状態で、アイロン本体１上方よりスタンド１２とアイロン本体１を覆い装着され、スタンド１２と共に箱体を形成するアイロンケースである。
【００２１】
このアイロンケース１９の底部２０は、側面より見たアイロンケース中央部２１がその前後端部より下方に円弧状に突出している。また、スタンド１２は側面より見たスタンド中央部２２がアイロンケース１９の底部２０の形状に沿ってその前後端部より下方に凹んでいる。また、アイロンケース１９とスタンド１２を結合するための結合手段２３は、アイロンケース１９の最下端近傍に位置して設けられている。
【００２２】
また、アイロンケース１９の外郭形状は、全体として滑らかな曲面で構成された凸形状を成し、アイロンケース１９の側面から見た略中央には、左右方向に穴を貫通させた形で、ケース空間部２４を設け、その上部にケース握り部２５を形成している。すなわち、アイロンケース１９を上から見たときの左右方向中央部は、全体外郭形状と滑らかに連続してケース握り部の上側面と成し、左右方向でその両側は、凹形状に形成し、その上面を左右方向から中央部に向かって張り出し形成してケース空間部２４の下部を形成し、アイロン本体の上部を覆う覆い部２６としている。
【００２３】
そして、アイロンケース１９のケース握り部２５は、アイロン本体１をスタンド１２の載置部１３に載置した状態でスタンド１２に取り付けた時に、アイロンケース１９のケース空間部２４はアイロン本体１の本体空間部１１と対向するように、かつ、アイロン本体１のアイロン握り部１０を外側から覆うように近接して配置され、アイロン本体１載置時には、アイロン本体１のアイロン握り部１０とアイロンケース１９のケース握り部２５を一緒に握ることができるよう構成している。
【００２４】
上記構成において、次に動作、作用を説明する。まず、アイロンがけを行うときはアイロン本体１をスタンド１２の載置部１３に載置して電源を投入する。このとき、アイロン本体１に設けられている受水部７とスタンド１２に設けられている給水部１５は接続される。そして、アイロン本体１のタンク６とスタンド１２の貯水タンク１６が連通状態となる。また、アイロン本体１に設けられている受電端子８とスタンド１２に設けられている給電部１４は接続される。
【００２５】
そして制御手段１８によって給水装置１７が駆動し、貯水タンク１６の水は給水部１５および受水部７を介して、アイロン本体１のタンク６へ給水される。アイロン本体１のタンク６に所定の水量が給水されると水位検知手段９により検知し、制御手段１８によって給水装置１７が停止する。また、制御手段１８によってベース４が予め設定された温度に通電制御され、給電部１４と受電端子８を介して電流が流され、ベース４は所定の温度に保たれる。
【００２６】
そして、作業者はアイロン本体１をスタンド１２の載置部１３より離脱しアイロンがけを行う。アイロンがけが終了すると、作業者はアイロン本体１をスタンド１２の載置部１３に載置し、電源プラグをコンセントより抜きスタンド１２に収納する。そして、アイロンケース１９をスタンド１２に装着する。
【００２７】
そして、アイロン本体１をスタンド１２の載置部１３に載置した状態でスタンド１２に取り付けた時に、アイロンケース１９のケース空間部２４はアイロン本体１の本体空間部１１と対向するように、かつ、アイロンケース１９の握り部２４はアイロン本体１のアイロン握り部１０を外側から覆うように位置するので、手をケース空間部２４および本体空間部１１に入れれば、アイロン本体１のアイロン握り部１０とアイロンケース１９のケース握り部２５を一緒に握ることになる。
【００２８】
一緒に握ることにより、そのまま握って持ち運びできて使い勝手がよいし、アイロンケース１９がスタンド１２に万一十分に結合されていない場合でも、安全に持ち運びできる。また、アイロン装置の持ち運び時にも、アイロン本体１がアイロンケース１９内でガタガタとゆれる心配がなく、非常に持ち運びが安定した状態で行われ、ゆれ等などにより、アイロン本体１およびスタンド１２の機構や部品が壊れたりするなどの心配がなくなる。
【００２９】
また、アイロン本体１をスタンド１２の載置部１３に載置して、アイロンケース１９をスタンド１２に結合したとき、アイロンケース１９の上面を左右方向から中央部に向かって張り出し形成した覆い部２６がアイロン本体１の上部を覆うので、保管時に、アイロン本体１にほこりがかぶることを抑制できる。
【図面の簡単な説明】
【００３０】
【図１】本発明の実施例におけるアイロン装置の要部断面図
【図２】同アイロン装置の側面図
【図３】同アイロン装置のアイロンケース装着時の様子を示す説明図
【図４】同アイロン装置のアイロンケース装着時の平面図
【図５】従来のアイロン収納装置のアイロンケースを取り外した状態の斜視図
【符号の説明】
【００３１】
１  アイロン本体
１０  アイロン握り部
１１  本体空間部
１２  スタンド
１３  載置部
１９  アイロンケース
２３  結合手段
２４  ケース空間部
２５  ケース握り部
２６  覆い部
【図１】
2005052403.tif 000003
【図２】
2005052403.tif 000004
【図３】
2005052403.tif 000005
【図４】
2005052403.tif 000006
【図５】
2005052403.tif 000007